【手続補正書】
【提出日】平成28年4月5日(2016.4.5)
【手続補正１】
【補正対象書類名】明細書
【補正対象項目名】０００８
【補正方法】変更
【補正の内容】
【０００８】
以上の課題を解決するため、本発明は、心拍計において、
ユーザの胸部に装着されたときに当該ユーザの心電波形を取得する心拍センサと、
前記心拍センサが前記心電波形の取得を開始してからの経過時間をカウントするカウント部と、
前記心電波形に基づいて心拍数の算出を行う心拍数算出部と、
前記心拍センサによって取得された前記心電波形を反転させる波形反転部と、
を備え、
前記心拍センサがユーザの胸部に装着されたときに該心拍センサが取得する前記心電波形は、高電圧側にピークを有する第１のＲ波を含む第１態様の心電波形と低電圧側にピークを有する第２のＲ波を含む第２態様の心電波形のいずれか一方を含み、
前記心拍数算出部は、前記心電波形が前記第１態様の心電波形を含んでいるとき、当該心電波形に対して前記心拍数の算出を行ない、
前記カウント部による前記経過時間が設定時間以上になったときに、前記心拍数算出部により前記心拍数が算出されたか否かを判定し、前記心拍数算出部により前記心拍数が算出されないと判定した場合に、それ以降に前記心拍センサによって取得される前記心電波形を反転させるとともに、前記波形反転部により前記心電波形が反転された反転心電波形に対して前記心拍数算出部により前記心拍数の算出を行うことを特徴とする。
【手続補正２】
【補正対象書類名】特許請求の範囲
【補正対象項目名】全文
【補正方法】変更
【補正の内容】
【特許請求の範囲】
【請求項１】
ユーザの胸部に装着されたときに当該ユーザの心電波形を取得する心拍センサと、
前記心拍センサが前記心電波形の取得を開始してからの経過時間をカウントするカウント部と、
前記心電波形に基づいて心拍数の算出を行う心拍数算出部と、
前記心拍センサによって取得された前記心電波形を反転させる波形反転部と、
を備え、
前記心拍センサがユーザの胸部に装着されたときに該心拍センサが取得する前記心電波形は、高電圧側にピークを有する第１のＲ波を含む第１態様の心電波形と低電圧側にピークを有する第２のＲ波を含む第２態様の心電波形のいずれか一方を含み、
前記心拍数算出部は、前記心電波形が前記第１態様の心電波形を含んでいるとき、当該心電波形に対して前記心拍数の算出を行ない、
前記カウント部による前記経過時間が設定時間以上になったときに、前記心拍数算出部により前記心拍数が算出されたか否かを判定し、前記心拍数算出部により前記心拍数が算出されないと判定した場合に、それ以降に前記心拍センサによって取得される前記心電波形を反転させるとともに、前記波形反転部により前記心電波形が反転された反転心電波形に対して前記心拍数算出部により前記心拍数の算出を行うことを特徴とする心拍計。
【請求項２】
請求項１記載の心拍計において、
前記心拍数算出部は、
前記心拍センサによって取得された前記心電波形から前記第１態様の心電波形が検出されたか否かを判定する心電波形判定部を有し、
前記心電波形判定部により前記心電波形から前記第１態様の心電波形が検出されたと判定されたとき、前記心拍数の算出を行うことを特徴とする心拍計。
【請求項３】
請求項２記載の心拍計において、
前記心電波形判定部は、
前記心拍センサによって取得された前記心電波形で、前記第１のＲ波と、低電圧側にピークを有するＳ波とが検出され、かつ、前記第１のＲ波のピークと前記Ｓ波のピークとの間の時間が２０msec〜３０msecである場合に、当該取得された心電波形から前記第１態様の心電波形が検出されたと判定することを特徴とする心拍計。
【請求項４】
請求項３記載の心拍計において、
前記心電波形判定部は、
前記心拍センサによって取得された前記心電波形で、高電圧側にピークを有するＪ波が検出され、かつ、前記Ｓ波のピークと前記Ｊ波のピークとの間の時間が２０msec〜３０msecである場合に、当該取得された心電波形から前記第１態様の心電波形が検出されたと判定することを特徴とする心拍計。
【請求項５】
請求項４記載の心拍計において、
前記心電波形判定部は、更に、
前記心拍センサによって取得された前記心電波形での前記Ｓ波のピーク値と前記Ｊ波のピーク値との差分値を第１電圧として蓄積記憶する第１の記憶部を有し、
前記第１の記憶部に記憶された直近の所定数の前記第１電圧の平均値を第１の平均値として算出し、前記心拍センサによって取得された前記心電波形で前記Ｓ波と前記Ｊ波とが検出され、前記Ｓ波のピーク値と前記Ｊ波のピーク値との差分値が前記第１の平均値の７０％以上である場合に、当該取得された心電波形から前記第１態様の心電波形が検出されたと判定することを特徴とする心拍計。
【請求項６】
請求項４または５記載の心拍計において、
前記心電波形判定部は、更に、
前記心拍センサによって取得された前記心電波形での前記第１のＲ波のピーク値と前記Ｓ波のピーク値との差分値を第２電圧として蓄積記憶する第２の記憶部を有し、
前記第２の記憶部に記憶された直近の所定数の前記第２電圧の平均値を第２の平均値として算出し、前記心拍センサによって取得された前記心電波形で前記第１のＲ波と前記Ｓ波とが検出され、前記第１のＲ波のピーク値と前記Ｓ波のピーク値との差分値が前記第２の平均値の７０％以上である場合に、当該取得された心電波形から前記第１態様の心電波形が検出されたと判定することを特徴とする心拍計。
【請求項７】
請求項１記載の心拍計において、
前記心拍数算出部は、逐次、前記心拍数を算出し、
前記心拍数算出部により算出された前記心拍数のうち、少なくとも直近で算出された２つの心拍数を記憶し、前記心拍数算出部により前記心拍数が算出されない場合には、前回算出された心拍数を、新たに算出された心拍数として記憶する心拍数記憶部を有し、
前記心拍数記憶部により記憶された直近の２つの心拍数が一致するか否かを判定し、
直近の２つの心拍数が一致すると判定された場合に前記カウント部による経過時間のカウントをリスタートさせることを特徴とする心拍計。
【請求項８】
ユーザの胸部に装着されて心拍数を計測する心拍計における心拍計測方法において、
前記心拍計は、ユーザの胸部に装着されたときに当該ユーザの心電波形を取得し、取得する前記心電波形が、高電圧側にピークを有する第１のＲ波を含む第１態様の心電波形と低電圧側にピークを有する第２のＲ波を含む第２態様の心電波形のいずれか一方を含む心拍センサを備え、
前記心拍センサが取得した前記心電波形が前記第１態様の心電波形を含んでいるとき、当該心電波形に対して前記心拍数の算出を行い、
前記心拍センサが前記心電波形の取得を開始してからの経過時間をカウントし、前記経過時間が設定時間以上になったときに、前記心拍数が算出されたか否かを判定し、前記心拍数が算出されていないと判定したとき、前記心電波形を反転させた反転心電波形を生成し、当該反転心電波形に対して前記心拍数の算出を行う、
ことを特徴とする心拍計測方法。
【請求項９】
ユーザの胸部に装着されて心拍数を計測する心拍計としてのコンピュータで実行される心拍計測プログラムにおいて、
前記心拍計は、ユーザの胸部に装着されたときに当該ユーザの心電波形を取得し、取得する前記心電波形が、高電圧側にピークを有する第１のＲ波を含む第１態様の心電波形と低電圧側にピークを有する第２のＲ波を含む第２態様の心電波形のいずれか一方を含む心拍センサを備え、
当該心拍計測プログラムは、
前記心拍計に、
前記心拍センサが取得した前記心電波形が前記第１態様の心電波形を含んでいるときに、当該心電波形に基づいて前記心拍数の算出を行わせ、
前記心拍センサが前記心電波形の取得を開始してからの経過時間をカウントし、前記経過時間が設定時間以上になったときに、前記心拍数が算出されたか否かを判定し、前記心拍数が算出されていないと判定したとき、前記心電波形を反転させた反転心電波形を生成させ、当該反転心電波形に対して前記心拍数の算出を行わせる、
ことを特徴とする心拍計測プログラム。